(57)【要約】  本発明は、少なくとも上眼瞼がレンズの両方の安定ゾーンに同時に当たるように個体の眼瞼と相互に作用する二重安定ゾーンを提供する。本発明の安定化されたレンズは、従来方式で安定化されたレンズと比べて、眼上での方向をより良好に維持する。
2011513792.tif 000002
【特許請求の範囲】
【請求項１】
光学ゾーンと、レンズ周辺部と、前記レンズ周辺部内の第１及び第２の厚いゾーンとを含むコンタクトレンズであって、前記第１及び第２の厚いゾーンが非対称である、レンズ。
【請求項２】
前記厚いゾーンのそれぞれの厚みが、前記ゾーンの最上部分からピーク厚みまで線形に増加し、その後、前記ゾーンの最下部分に向かって線形に減少する、請求項１に記載のレンズ。
【請求項３】
前記厚いゾーンのそれぞれの厚みが、前記ゾーンの最上部分からピーク厚みまで非線形に増加し、その後、前記ゾーンの最下部分に向かって非線形に減少する、請求項１に記載のレンズ。
【請求項４】
厚いゾーンの最厚部分と、厚いゾーンの最薄部分との間の最大厚み差異が約０．１〜約０．４ｍｍである、請求項２に記載のレンズ。
【請求項５】
厚いゾーンの最厚部分と、厚いゾーンの最薄部分との間の最大厚み差異が約０．１〜約０．４ｍｍである、請求項３に記載のレンズ。
【請求項６】
前記ゾーンのそれぞれの前記厚みのピークが、前記レンズの幾何学的な中心から約５〜約７ｍｍである、請求項２に記載のレンズ。
【請求項７】
前記ゾーンのそれぞれの前記厚みのピークが、前記レンズの幾何学的な中心から約５〜約７ｍｍである、請求項３に記載のレンズ。
【請求項８】
前記ゾーンのそれぞれの前記厚みのピークが、前記レンズの幾何学的な中心から約５〜約７ｍｍである、請求項４に記載のレンズ。
【請求項９】
前記ゾーンのそれぞれの前記厚みのピークが、前記レンズの幾何学的な中心から約５〜約７ｍｍである、請求項５に記載のレンズ。
【請求項１０】
前記厚いゾーンのそれぞれの半径方向幅が約３〜４ｍｍであり、前記厚いゾーンのそれぞれの円周長さが約３０〜１２０度の角度の範囲を定める、請求項１に記載のレンズ。
【請求項１１】
前記厚いゾーンのそれぞれの半径方向幅が約３〜４ｍｍであり、前記厚いゾーンのそれぞれの円周長さが約３０〜１２０度の角度の範囲を定める、請求項２に記載のレンズ。
【請求項１２】
前記厚いゾーンのそれぞれの半径方向幅が約３〜４ｍｍであり、前記厚いゾーンのそれぞれの円周長さが約３０〜１２０度の角度の範囲を定める、請求項３に記載のレンズ。
【請求項１３】
前記厚いゾーンのそれぞれの半径方向幅が約３〜４ｍｍであり、前記厚いゾーンのそれぞれの円周長さが約３０〜１２０度の角度の範囲を定める、請求項４に記載のレンズ。
【請求項１４】
前記厚いゾーンのそれぞれの半径方向幅が約３〜４ｍｍであり、前記厚いゾーンのそれぞれの円周長さが約３０〜１２０度の角度の範囲を定める、請求項５に記載のレンズ。
【請求項１５】
前記厚いゾーンのそれぞれの半径方向幅が約３〜４ｍｍであり、前記厚いゾーンのそれぞれの円周長さが約３０〜１２０度の角度の範囲を定める、請求項６に記載のレンズ。
【請求項１６】
前記厚いゾーンのそれぞれの半径方向幅が約３〜４ｍｍであり、前記厚いゾーンのそれぞれの円周長さが約３０〜１２０度の角度の範囲を定める、請求項７に記載のレンズ。
【請求項１７】
前記厚いゾーンのそれぞれの半径方向幅が約３〜４ｍｍであり、前記厚いゾーンのそれぞれの円周長さが約３０〜１２０度の角度の範囲を定める、請求項８に記載のレンズ。
【請求項１８】
前記厚いゾーンのそれぞれの半径方向幅が約３〜４ｍｍであり、前記厚いゾーンのそれぞれの円周長さが約３０〜１２０度の角度の範囲を定める、請求項９に記載のレンズ。
【発明の詳細な説明】
【技術分野】
【０００１】
本発明はコンタクトレンズに関する。詳細には、本発明は、回転安定性が非対称であるコンタクトレンズを提供する。
【背景技術】
【０００２】
特定の視覚欠損の補正は、円筒型、二焦点、多焦点、及び波面矯正物の特性など、非球状矯正物の特性をコンタクトレンズの１つ以上の面に付与することで矯正可能であることが知られている。更に、非回転対称の色付き模様を有するレンズ、角膜トポグラフィーに合致する裏面、及びオフセット光学ゾーンを有するレンズが知られている。これらのレンズの使用は、有効であるためには眼の上にある間ずっとレンズが特定方向に保たれなければならないという点で問題がある。このようなレンズが最初に眼の上に定置されると、レンズは自らを自動的に位置決めするか、又は自動位置付けして、経時的にその位置を維持しなければならない。しかしながら、一旦レンズが位置決めされると、まばたきの間に眼瞼がレンズに加える力が原因で、レンズは眼の上で回転する傾向にある。
【発明の概要】
【課題を解決するための手段】
【０００３】
レンズの眼上での方向の維持は通常、レンズの機械的特性を変えることによって行われる。例えば、レンズの裏面に対する前面の偏心化、レンズ下部周辺部の厚みの増大、レンズの面の俯角又は仰角の形成、及びレンズ縁部の切断などを非限定的に含む、プリズムの安定化が利用されている。
【０００４】
更に、厚いゾーン及び薄いゾーン、又は、場合によっては、レンズの周辺部の厚みが増加又は減少する領域を使用することによってレンズを安定化させる動的安定化が用いられている。典型的には、厚いゾーン及び薄いゾーンは、レンズの周辺部に関して対称に位置付けられる。例えば、２つの厚いゾーンのそれぞれは、光学ゾーンの両側に位置決めされ、かつレンズの０〜１８０度軸に沿って中心に配置される。対称安定ゾーンは、例えば、１つの眼瞼（上眼瞼）は、他の安定ゾーンに当たる前に安定ゾーンの一端に当たるので、不利である。これはレンズの傾斜をもたらし、維持されるべく求められている方向から離れてレンズを移動させる。
【図面の簡単な説明】
【０００５】
【図１】対称で二重厚のゾーンである安定ゾーンを有するコンタクトレンズの表面の平面図の等厚干渉縞プロット。
【図２】コンタクトレンズの前面の平面図。
【図３】眼の上に示される図２のレンズを示す図。
【図４】厚みのピーク配列のグラフ。
【図５】実施例のレンズの回転特性を示すグラフ。
【図６】実施例のレンズの中心合わせ特性を示すグラフ。
【図７】本発明のレンズの表面の平面図。
【発明を実施するための形態】
【０００６】
従来の二重安定ゾーンレンズと比較して改善された性能を有する二重安定ゾーンを備える安定化されたコンタクトレンズが、安定ゾーンを非対称とすることによって得ることができるということは、本発明の発見である。より詳細には、少なくとも上眼瞼、好ましくは下眼瞼もまたレンズの両方の安定ゾーンに同時に当たるように、二重安定ゾーンが個体の眼瞼と相互に作用するように設計することによって、本発明の安定化されたレンズが、従来の安定化されたレンズと比べ、より良好に眼上での方向を維持するということは、本発明の発見である。
【０００７】
一実施形態において、本発明は、光学ゾーンと、レンズ周辺部と、レンズ周辺部内の第１及び第２の厚いゾーンとを含む、これらから本質的になる、及びこれらからなるコンタクトレンズであって、第１及び第２の厚いゾーンが非対称であるレンズを提供する。
【０００８】
本発明の目的上、「厚いゾーン」が意味するのは、レンズ周辺部の他の領域と比較してレンズ周辺部が厚い、レンズ周辺部内の領域である。レンズの任意の点の厚みは、レンズの前面つまり対物側の表面と、レンズの裏面つまり眼の側となる表面との間の、裏面に対して直交する方向に沿った距離として測定される。
【０００９】
「レンズ周辺部」が意味するのは、光学ゾーンに隣接して存在する、及び光学ゾーンを包囲するレンズの非光学部分である。本発明の目的のため、このレンズ周辺部は、幾何学的な中心に対するレンズの縁部、又はレンズの最外部を除外する。通常、レンズの縁部は約０．０２ｍｍ〜約０．２ｍｍの幅を有する。
【００１０】
「非対称」が意味するのは、安定ゾーンが、レンズの水平軸、つまり０〜１８０度軸、及び垂直軸、つまり９０〜２７０軸に関して対称でないことである。
【００１１】
レンズ表面の片側の一方の安定ゾーンが、レンズ表面の反対側の第２の安定ゾーンと、位置、寸法、及び形状に関する限り垂直軸に対して鏡像である場合に、２つの安定ゾーンは垂直軸に関して対称である。水平軸の下方の一方の安定ゾーン部分が、水平軸の上方の同じ安定ゾーン部分と、位置、寸法、及び形状に関する限り鏡像である場合に、２つの安定ゾーンは水平軸に関して対称である。例えば、図１には、対称で二重厚のゾーンである安定ゾーンを有するコンタクトレンズの表面の平面図の等厚干渉縞プロットが示されている。より具体的には、水平軸の両端を中心とする厚いゾーン１１及び１２のそれぞれが示されている。また、図示のように、ゾーン１１及び１２は上下対称である。
【００１２】
本発明のレンズを設計する際、設計者は、最初に、最終レンズにとって望ましい特定のレンズパラメータ、及び視覚測定パラメータを選択する。これらレンズパラメータ及び視覚パラメータは、レンズの直径、上眼瞼角（「ＵＬＡ」）、上眼瞼の位置又はレンズの幾何学的な中心から上眼瞼までの距離（「ＵＬＰ」）、下眼瞼角（「ＬＬＡ」）、及びレンズの幾何学的な中心に対する下眼瞼の位置（「ＬＬＰ」）である。加えて、設計者は、安定ゾーンのそれぞれに関する安定ゾーンデータを次のように選択する：安定ゾーンのピーク厚みがそれに沿って位置付けられる経線を意味するピーク経線の厚みプロファイル；レンズの幾何学的な中心から安定ゾーンの厚みが最大である点までの距離を意味する半径方向の周囲距離；並びにレンズの幾何学的な中心からの半径方向距離（「ｒ」）及び経線角度（「θ」）に関する厚みの関数変換。
【００１３】
説明の目的で、図２は、光学ゾーン２１と、レンズ周辺部２２と、レンズ縁部２３とを有するコンタクトレンズ２０の前面の平面図である。本発明の目的のため、レンズの上部は、水平経線の上方で、かつ９０度位置及び約９０度位置にあるレンズの一部であり、レンズの底部は、水平経線の下方で、かつ２７０度位置又は約２７０度位置にあるレンズの一部である。Ａ点はレンズの幾何学的な中心である。線２５は、レンズ周辺部の（レンズの幾何学的な中心に対して）最も内側の境界２８まで半径方向外側に延び、線２４は、レンズ周辺部の最も外側の境界２９まで延びる。線２６は半径方向の周囲距離である。この距離は、線２４と２５との間の任意の距離であることができる。点線の円２７は、これに沿って最終レンズの安定ゾーンの最大厚みが位置付けられる外周を示す。
【００１４】
図３を参照すると、図示のように、参照番号３１は上眼瞼を指し、３７は下眼瞼を指す。眼瞼３１が眼の各側の角膜の最も外側の境界線と交差する、Ｂ点及びＣ点として示される点は、それぞれ、眼瞼入力データを使用して幾何学的形状によって決定される。
例えば：
ＵＬＡが上眼瞼角；
ＵＬＰがレンズの幾何学的な中心から上眼瞼（図３の線３２）までの距離；
ＬＤＩがコンタクトレンズの直径；であると仮定すると次のようになる：
ａａ＝１＋Ｔａｎ（ＵＬＡ）２；
ｂｂ＝−ＵＬＰ；及び
ｃｃ＝ＵＬＰ２−ＬＤＩ２／４＊ＴＡＮ（ＵＬＡ）２。
Ｃ点が座標（ｘ、ｙ）に位置すると仮定すると次のようになる。
【数１】
2011513792.tif 000003
【００１５】
図３において、線３３はＢ点とＣ点を結ぶ線である。すると上眼瞼角（「ＵＬＡ」）は、レンズの水平軸に対する線３３の角度として定義される。
【００１６】
本発明の方法においては、上眼瞼は常にコンタクトレンズの両側と接触するので、上眼瞼が使用されるのが好ましい。しかしながら、下眼瞼がコンタクトレンズの両側と接触するのであれば、下眼瞼を上記の計算で使用することが可能である。
【００１７】
下眼瞼がコンタクトレンズの両側と交差しない場合は、下眼瞼角（「ＬＬＡ」）を推定しなければならない。これは、下眼瞼と接し、かつ角膜の幾何学的な中心を中心とする線を引くことによって達成され得る。図３を参照すると、線３４は、角膜の幾何学的な中心を中心とする垂線であり、下眼瞼３７まで延びて下眼瞼３７と交差する。本明細書に記載の計算を行うには、ＵＬＡ、ＬＬＡ、ＵＬＰ、及びＬＬＰの値は、ポピュレーション測定値に基づいていてもよく、好ましくは個体の測定値である。
【００１８】
続いて、線３５及び３６を、Ｂ点及びＣ点のそれぞれから下眼瞼３７まで引く。これら線のそれぞれが下眼瞼３４と交差する点が、図３では、それぞれＤ及びＥとして示されている。線３５及び３６のそれぞれの中間点Ｆ及びＧがそれぞれ決定され、これらの点の間に直線３８が引かれ、直線３８はこれらの点を通り、かつレンズ縁部２３の最も外側の境界線を越えて延びる。
【００１９】
線３６及び３５がそれぞれ半径方向の周囲距離と交差するＨ点及びＩ点は、安定ゾーンの最も厚い部分の中心を意味するピーク厚みの位置を画定する。次に、Ｈ点及びＩ点のそれぞれに関して、レンズの中心Ａからの経線角度を計算する。例えば、Ｇ点の座標がＧｘ，Ｇｙであり、Ｆ点がＦｘ，Ｆｙの場合、これらの点を結んだ線３８の角度は、逆正接関数
【数２】
2011513792.tif 000004
を有する。
【００２０】
次に、レンズの各側の安定ゾーンの、レンズの上部に最も近い最上部の境界、及びレンズの底部に最も近い最下部の境界を決定する。最上部及び最下部の境界は、眼瞼と、半径方向の周囲距離の最も外側の縁部とが交差する点に位置付けられることができる。好ましくは、境界のそれぞれは、この交差点の上眼瞼より５〜１０度低く、又は下眼瞼より５〜１０度高く終端する。下眼瞼がレンズ縁部と交差しない場合は、下部境界は上部境界と対称とされてもよく、又は下眼瞼、上眼瞼、又は水平軸と平行とされてもよい。
【００２１】
任意の簡便な方法によって、レンズ表面の３６０度の経線のそれぞれの厚みを１度刻みで計算する。例えば、半径方向距離（「Ｒ」）の厚み（「ＴＨＫ」）を、図４に示される厚みのピーク配列又は関数を使用して計算する。ピーク厚み、レンズの幾何学的な中心からのピーク厚みの半径方向距離、ピーク厚みとレンズ縁部との間の半径方向距離、ピーク厚みの両側の半径方向の厚み変化、安定ゾーンの長さ、及びピーク厚みの両側の角度で測った厚み変化で構成される厚みプロファイルは、レンズに組み込まれた安定ゾーンごとに異なってもよい。
【００２２】
比率（「α」）を次のように計算する。
｛経線角度−象限開始角度｝÷全象限角度
【００２３】
特定位置における厚みを計算するために、次の角度を画定する：
水平軸から特定位置までの角度である経線角度；
水平軸とピーク経線との間の角度である象限開始角度；及び
ピーク経線と、安定ゾーンの厚みが終わる経線との間の角度である全象限角度。
【００２４】
好ましくは、この比率を次に以下のように厚み変化関数に適用する。まず、９０を乗算して全象限角度を正規化する。
【００２５】
全象限に関する次の等式にしたがって、結果として得られる厚み（「Ｔ」）を計算する。
Ｔ＝ｔ＊ｃｏｓｉｎｅ（α）ｎ
式中、ｎは約１〜５、好ましくは約１．５０、最大約３．００である。
【００２６】
当業者は、厚み「Ｔ」の計算に、線形関数、多項式関数、及びスプライン関数を非限定的に含むその他の関数変換法を適用することができることを認識するであろう。ここで、厚みＴを、半径方向距離ｒ及び経線角度の関数として保存してもよい。
【００２７】
本発明のレンズの安定ゾーンのそれぞれは、任意の望ましい形状をとることができる。例えば、このゾーンの厚みは、ゾーンの最上部分からピーク厚みまで線形に増加し、その後、ゾーンの最下部分に向かって線形に減少してもよい。あるいは、この変化は加速されてもよく、又は非線形であってもよい。
【００２８】
好ましくは、本発明の安定ゾーンのそれぞれの最も広い部分の半径方向幅は、約３〜４ｍｍであり、好ましくは約２〜３ｍｍである。安定ゾーンのそれぞれの円周長さは、約３０〜１２０度、好ましくは約５０〜９０度の角度の範囲を定める。安定ゾーンの最厚部分と最薄部分との間の最大厚み差異は、約０．１〜約０．４ｍｍ、好ましくは約０．２〜約０．３ｍｍである。ゾーンのそれぞれの厚みのピークは、レンズの幾何学的な中心から約５〜約７ｍｍ、好ましくは約６〜６．５ｍｍに位置付けられてもよい。
【００２９】
本発明はあらゆるレンズを安定化させるために使用することができるが、光学補正を提供するために眼上での安定化が必要なレンズにおいて最大の有用性を見出すことができる。したがって、本発明は、乱視用レンズ及び多焦点レンズにおいて最大の有用性を見出すことができる。更に、設計は、特定の個体の角膜トポグラフィーに合わせてカスタマイズされたレンズ、高い波面収差補正を有するレンズ、又はその両方において有益である。好ましくは、本発明は、例えば、参照によりその全体が本明細書に組み込まれる、米国特許第５，６５２，６３８号、同第５，８０５，２６０号、及び同第６，１８３，０８２号に開示されているような乱視用レンズ又は乱視用多焦点レンズを安定化させるために用いられる。
【００３０】
多焦点レンズは、二焦点レンズ及び累進レンズを非限定的に含む。二焦点レンズの１つのタイプは、近用光学度数と遠用光学度数との間を変化させる円環状をしたリング部を有する光学ゾーンを提供する。「近用光学度数」が意味するのは、装用者の近方視力を所望の程度まで補正するために必要な屈折力の量である。「遠用光学度数」が意味するのは、装用者の遠方視力を所望の程度まで補正するために必要な屈折力の量である。
【００３１】
円環状をしたリング部は、レンズの前面つまり対物側表面、又は裏面つまり眼の側の表面、又は両面に存在してもよい。好ましい実施形態では、第１及び第２の眼科用レンズが提供され、第１のレンズは、実質的に全ての遠用光学度数を提供する光学ゾーンを備える凸面と、少なくとも２つの同心環状部分を備える光学ゾーンを有する凹面とを有し、この少なくとも２つの同心環状部分のそれぞれの度数は、遠用光学度数の度数にほぼ等しい。第２のレンズは、実質的に全ての近用光学度数を提供する光学ゾーンを備える凸面と、少なくとも２つの同心環状部分を備える光学ゾーンを提供する凹面とを有し、この少なくとも２つの同心環状部分のそれぞれの度数は、近用光学度数の度数にほぼ等しい。
【００３２】
あるいは、中間度数、又は近用光学度数と遠用光学度数との間の度数の環を更に提供することができる。更に別の代替方法として、レンズは累進多焦点補正を提供してもよい。好適な二焦点、多焦点、及び累進デザインは、参照によりその全体が本明細書に組み込まれる、米国特許第５，４４８，３１２号、同第５，４８５，２２８号、同第５７１５，０３１号、同第５，９２９，９６９号、同第６，１７９，４２０号、同第６，５１１，１７８号、及び同第６，５２０，６３８号に記載されている。
【００３３】
更に別の代替方法として、本発明のレンズは、高い眼収差、角膜トポグラフィーデータ、又はその両方の補正を取り入れてもよい。かかるレンズの例は、参照によりその全体が本明細書に組み込まれる、米国特許第６，３０５，８０２号及び同第６，５５４，４２５号に見出される。
【００３４】
本発明のレンズは、メガネのレンズ、コンタクトレンズ、及び眼内レンズを非限定的に含む眼科用レンズを製造するのに好適な任意のレンズ成形材料から製造されてもよい。ソフトコンタクトレンズ形成の例示的な材料としては、非限定的に、シリコーン・エラストマー、参照によりその全体が本書に組込まれる米国特許第５，３７１，１４７号、同第５，３１４，９６０号、及び同第５，０５７，５７８号に開示されるものを非限定的に含むシリコーン含有マクロマー、ヒドロゲル、シリコーン含有ヒドロゲル等及びその組み合わせが挙げられる。より好ましくは、表面はシロキサンであるか、又は表面は、ポリジメチルシロキサンマクロマー、メタクリルオキシプロピルポリアルキルシロキサン、及びこれらの混合物、シリコンヒドロゲル若しくはエタフィルコンＡ等のヒドロゲルを非限定的に含むシロキサンの機能性を有する。
【００３５】
好ましいコンタクトレンズの材料は、ポリ２−ヒドロキシエチルメタクリレートポリマーであり、約２５，０００〜約８０，０００のピーク分子量と、それぞれ約１．５未満〜約３．５未満の多分散性とを有し、少なくとも１つの架橋可能な官能基がその上に共有結合していることを意味する。この材料は、米国特許出願第６０／３６３，６３０号に記載されており、この文献は、参照によりその全体が本明細書に組み込まれる。
【００３６】
レンズ材料の硬化処理は好都合であればいかなる方法で行ってもよい。例えばこの材料は、型に入れ、熱、放射線、化学物質、電磁放射線などによる硬化、及びこれらの組み合わせにより硬化させることができる。好ましくは、コンタクトレンズの実施形態では、紫外線を使用して、又は可視光線のフルスペクトルを使用して成型が行われる。より具体的には、レンズ材料を硬化させるのに好適な正確な条件は、選択した材料及び形成すべきレンズによって決まる。好適なプロセスは米国特許第５，５４０，４１０号に開示されており、参照によりその全体が本書に組込まれる。
【００３７】
本発明のコンタクトレンズは、あらゆる好都合な方法で製造され得る。このような方法の１つは、金型インサートを作製するために、ＶＡＲＩＦＯＲＭ（商標）アタッチメントを備えるＯＰＴＯＦＯＲＭ（商標）旋盤を使用する。金型インサートも同様に型を作るために利用する。その後、好適な液体樹脂を金型間に配置した後に、樹脂を圧縮及び硬化して、本発明のレンズを形成する。当業者は、あらゆる多くの既知の方法を用いて本発明のレンズを製造することができることを認識するであろう。
【００３８】
本発明は、以下の非限定的な実施例を考察することによってさらに明確にされる。
【実施例】
【００３９】
（実施例１）
図１に示される従来技術のコンタクトレンズは、球面屈折力−３．００ｍ−１（３．００ジオプター）、円柱屈折力−０．７５ｍ−１（０．７５ジオプター）、及び円柱軸１８０度を有して設計される。レンズ特徴部及び安定ゾーンの寸法パラメータは、表２に実施例１として示されている。更に、図１に示されるように、レンズは、２つの垂直及び水平に対称な厚いゾーンをレンズ周辺部に有する。レンズが軸外に４５度回転された場合、安定位置０の５度以内に３３秒以内に戻ることが、図５に示されている。安定方向に戻る間、レンズは中心合わせ位置（０．２ｍｍ以内）を維持し、２６秒以内に安定値を達成することが、図６に示されている。０．２ｍｍ以内の値は、視機能の観点から臨床的に許容可能な偏心量である。したがって、安定位置に戻る回転の間、レンズは０〜０．２ｍｍを超えて中心から偏心するべきではなく、さもないと視覚に影響が与えられることになる。
【表１】
2011513792.tif 000005
【００４０】
（実施例２）
球面屈折力が−３．００ｍ−１（３．００ジオプター）、円柱屈折力が−０．７５ｍ−１（０．７５ジオプター）、及び円柱軸が１８０度、並びにカスタマイズされた安定ゾーンを有するレンズが、表１の視覚測定パラメータ、及び次の表２の実施例２に示されるレンズ寸法パラメータを用いて、本発明の方法にしたがって設計される。表２において「鼻」及び「側頭」が意味するのは、それぞれレンズの鼻側及び側頭側にあるレンズの側面である。図７は、安定ゾーン７１及び７２が非対称であるレンズの前面を示す。
【００４１】
レンズが軸外に４５度回転された場合、安定位置（５度以内）に１６秒以内に戻ることが、図５に示されている。安定方向に戻る間、レンズは許容可能な中心合わせ位置（０．２ｍｍ以内）を維持し、１５秒以内に安定値を達成することが、図６に示されている。これらの値は、実施例１のレンズと比較して有意に改善されている。
【表２】
2011513792.tif 000006
【００４２】
〔実施の態様〕
（１）  光学ゾーンと、レンズ周辺部と、前記レンズ周辺部内の第１及び第２の厚いゾーンとを含むコンタクトレンズであって、前記第１及び第２の厚いゾーンが非対称である、レンズ。
（２）  前記厚いゾーンのそれぞれの厚みが、前記ゾーンの最上部分からピーク厚みまで線形に増加し、その後、前記ゾーンの最下部分に向かって線形に減少する、実施態様１に記載のレンズ。
（３）  前記厚いゾーンのそれぞれの厚みが、前記ゾーンの最上部分からピーク厚みまで非線形に増加し、その後、前記ゾーンの最下部分に向かって非線形に減少する、実施態様１に記載のレンズ。
（４）  厚いゾーンの最厚部分と、厚いゾーンの最薄部分との間の最大厚み差異が約０．１〜約０．４ｍｍである、実施態様２に記載のレンズ。
（５）  厚いゾーンの最厚部分と、厚いゾーンの最薄部分との間の最大厚み差異が約０．１〜約０．４ｍｍである、実施態様３に記載のレンズ。
（６）  前記ゾーンのそれぞれの前記厚みのピークが、前記レンズの幾何学的な中心から約５〜約７ｍｍである、実施態様２に記載のレンズ。
（７）  前記ゾーンのそれぞれの前記厚みのピークが、前記レンズの幾何学的な中心から約５〜約７ｍｍである、実施態様３に記載のレンズ。
（８）  前記ゾーンのそれぞれの前記厚みのピークが、前記レンズの幾何学的な中心から約５〜約７ｍｍである、実施態様４に記載のレンズ。
（９）  前記ゾーンのそれぞれの前記厚みのピークが、前記レンズの幾何学的な中心から約５〜約７ｍｍである、実施態様５に記載のレンズ。
（１０）  前記厚いゾーンのそれぞれの半径方向幅が約３〜４ｍｍであり、前記厚いゾーンのそれぞれの円周長さが約３０〜１２０度の角度の範囲を定める、実施態様１に記載のレンズ。
【００４３】
（１１）  前記厚いゾーンのそれぞれの半径方向幅が約３〜４ｍｍであり、前記厚いゾーンのそれぞれの円周長さが約３０〜１２０度の角度の範囲を定める、実施態様２に記載のレンズ。
（１２）  前記厚いゾーンのそれぞれの半径方向幅が約３〜４ｍｍであり、前記厚いゾーンのそれぞれの円周長さが約３０〜１２０度の角度の範囲を定める、実施態様３に記載のレンズ。
（１３）  前記厚いゾーンのそれぞれの半径方向幅が約３〜４ｍｍであり、前記厚いゾーンのそれぞれの円周長さが約３０〜１２０度の角度の範囲を定める、実施態様４に記載のレンズ。
（１４）  前記厚いゾーンのそれぞれの半径方向幅が約３〜４ｍｍであり、前記厚いゾーンのそれぞれの円周長さが約３０〜１２０度の角度の範囲を定める、実施態様５に記載のレンズ。
（１５）  前記厚いゾーンのそれぞれの半径方向幅が約３〜４ｍｍであり、前記厚いゾーンのそれぞれの円周長さが約３０〜１２０度の角度の範囲を定める、実施態様６に記載のレンズ。
（１６）  前記厚いゾーンのそれぞれの半径方向幅が約３〜４ｍｍであり、前記厚いゾーンのそれぞれの円周長さが約３０〜１２０度の角度の範囲を定める、実施態様７に記載のレンズ。
（１７）  前記厚いゾーンのそれぞれの半径方向幅が約３〜４ｍｍであり、前記厚いゾーンのそれぞれの円周長さが約３０〜１２０度の角度の範囲を定める、実施態様８に記載のレンズ。
（１８）  前記厚いゾーンのそれぞれの半径方向幅が約３〜４ｍｍであり、前記厚いゾーンのそれぞれの円周長さが約３０〜１２０度の角度の範囲を定める、実施態様９に記載のレンズ。
【図１】
2011513792.tif 000007
【図２】
2011513792.tif 000008
【図３】
2011513792.tif 000009
【図４】
2011513792.tif 000010
【図５】
2011513792.tif 000011
【図６】
2011513792.tif 000012
【図７】
2011513792.tif 000013
【国際調査報告】
2011513792.tif 000014
2011513792.tif 000015